(57)【要約】【課題】    主幹ケーブルと主幹サブケーブとの種類を自由に選択可能とし、また建物の進捗状況等に応じてケーブル敷設作業を効率的に行う。【解決手段】乗りかご１６を昇降させる昇降路の機械室等に設置され、客先電源を所定の電源電力に変換し、複数の主幹ケーブル１１，１１を通じて各階床のホール用機器５〜７に送電する電源変換装置２ａと、複数階床のホール用機器ごとに決定される昇降路の高さ位置に設置され、それぞれ電源変換装置から各主幹ケーブルを通じて所定の電源電力を受け取る複数の昇降路受電装置１２，１２と、各昇降路受電装置１２，１２内に導入される各主幹ケーブル１１，１１に接続される主幹サブケーブル１３，１３及び主幹サブケーブ１３，１３にそれぞれ所定の間隔で分岐接続される各階床のホール用機器に給電する各分岐ケーブル１４，…とを設けたエレベータ給電システムである。【選択図】      図１
2006182462.tif 000002
【特許請求の範囲】
【請求項１】
客先から供給される客先電源電力を取り込んで昇降路周辺機器に給電するエレベータ給電システムにおいて、
エレベータ乗りかごを昇降させる昇降路の機械室又は昇降路上部に設置され、前記客先電源電力を所定の電源電力に変換し、複数の主幹ケーブルを通じて前記昇降路周辺機器である各階床のホール用機器に給電可能とする電源変換手段と、
予め複数の階床のホール用機器ごとに決定される昇降路の高さ位置に設置され、それぞれ前記電源変換手段から前記各主幹ケーブルを通じて前記所定の電源電力を受け取る複数の昇降路受電装置と、
当該各昇降路受電装置に導入される各主幹ケーブルに接続される主幹サブケーブル及び当該主幹サブケーブルにそれぞれ所定の間隔で分岐接続される前記各階床のホール用機器に給電する各分岐ケーブルとを備えたことを特徴とするエレベータ給電システム。
【請求項２】
客先から供給される客先電源電力を取り込んで昇降路周辺機器に給電するエレベータ給電システムにおいて、
予め複数の階床のホール用機器ごとに決定される昇降路の高さ位置に設置され、エレベータ乗りかごを昇降させる昇降路の機械室又は昇降路上部から複数の主幹ケーブルを通じて前記客先電源電力を受け取る複数の昇降路受電装置と、
各昇降路受電装置内に設置され、前記客先電源電力を前記複数の階床のホール用機器ごとに応じた所定の電源電力に変換する電源変換手段と、
当該各昇降路受電装置に導入される各主幹ケーブルに接続される主幹サブケーブル及び当該主幹サブケーブルにそれぞれ所定の間隔で分岐接続される前記各階床のホール用機器に給電する各分岐ケーブルとを備えたことを特徴とするエレベータ給電システム。
【請求項３】
請求項１又は請求項２に記載するエレベータ給電システムにおいて、
前記各昇降路受電装置又は各昇降路受電装置内に設置される電源変換手段は、建物を含む昇降路の工事の進捗状況や工事区分に応じた前記昇降路の高さ位置に設置し、かつ前記主幹サブケーブル及び前記各分岐ケーブルを敷設することを特徴とするエレベータ給電システム。
【請求項４】
客先から供給される客先電源電力を取り込んで昇降路周辺機器に給電するエレベータ給電システムにおいて、
予め複数の階床のホール用機器ごとに決定される昇降路の高さ位置に設置され、エレベータ乗りかごを昇降させる昇降路の機械室又は昇降路上部から複数の主幹ケーブルを通じて前記客先電源電力を受け取る複数の各昇降路受電装置と、
この各昇降路受電装置に導入された各主幹ケーブルに接続される主幹サブケーブル及び各主幹サブケーブルにそれぞれ所定の間隔で分岐接続される各分岐ケーブルと、
各分岐ケーブルに接続され、前記昇降路受電装置で受け取った前記客先電源電力を対応する前記ホール用機器に応じた所定の電源電力に変換する電源変換手段と、
この各電源変換手段の出力側に接続され、変換された所定の電源電力の給電を受ける各階床のホール用機器とを備えたことを特徴とするエレベータ給電システム。
【請求項５】
請求項４に記載するエレベータ給電システムにおいて、
前記複数の昇降路受電装置のうち、任意の昇降路受電装置に導入される前記主幹ケーブルに接続され、前記昇降路受電装置で受け取った前記客先電源電力を前記乗りかごのかご用機器に応じた所定の電源電力に変換する電源変換手段を設けたことを特徴とするエレベ
【発明の詳細な説明】
【技術分野】
【０００１】
本発明は、エレベータの昇降路周辺機器に所定の電源電力を給電するエレベータ給電システムに関する。
【背景技術】
【０００２】
図４は従来のエレベータ給電システムの構成を示す図である。この給電システムは、昇降路上部の機械室又は昇降路最上部に設置される客先電源を受電する受電装置１ａを収納した受電盤１と、同じく昇降路上部の機械室又は昇降路最上部に設置され、受電装置1ａで受電された客先電源を所定の電源電力に変換する電源変換装置２ａ及びエレベータの電動機を駆動制御する制御回路２ｂ等を収納するエレベータ制御盤２と、この電源変換装置２ａから各階ホール用機器に送電する複数本の電源主幹ケーブル３，３と、各電源主幹ケーブル３，３に適宜な間隔をもって各階床のホール用機器に敷設する電源分岐ケーブル４，…とで構成され、電源変換装置２ａで変換された所定の電源電力を、電源主幹ケーブル３，３及び電源分岐ケーブル４，…を通じて各階床のホール用機器に給電する構成である。各階床のホール用機器としては、例えば各階床のホール周辺に設置されるホール制御装置５、当該ホール制御装置５に接続されるホールインジケータ６及びホールボタン７である。
【発明の開示】
【発明が解決しようとする課題】
【０００３】
ところで、以上のようなエレベータ給電システムでは、次のような問題が指摘されている。  
（１）  昇降路上部の機械室又は昇降路最上部から各階床のホール制御装置５まで、電源主幹ケーブル３及び当該電源主幹ケーブル３に分岐接続される電源分岐ケーブル４を敷設しているが、各電源分岐ケーブル４端部とホール制御装置５とがコネクタ接続方式で接続されているので、コネクタに入るケーブル３，４のサイズ（太さ）が制限される。そこで、コネクタのケーブル導入サイズに合った電源主幹ケーブル３及び電源分岐ケーブル４を選び、昇降路上部の機械室又は昇降路最上部から直接各階床のホール制御装置５まで敷設している。ケーブル敷設作業としては、予めドラムに巻装された電源主幹ケーブル３と電源分岐ケーブル４とを加工接続した昇降路ケーブルを巻き戻しながら、昇降路上部の機械室等から順次敷設を進めながら各階床のホール制御装置５まで敷設する作業となる。従って、電源主幹ケーブル３と電源分岐ケーブル４とを分離して個別に敷設作業を進めることができない問題がある。また、ドラムに巻装される昇降路ケーブルは、高重量、かつ大形化するので、ケーブルの敷設工事が比較的大掛かりとなる。
【０００４】
（２）  また、昇降路周辺のケーブルの敷設作業は、建物工事の進捗状況や予め定める工事区分等に従って進めていく必要がある。その結果、先に各階床のホール用機器を含む電源分岐ケーブル４を敷設し、後から電源主幹ケーブル３を敷設するといった作業を進めることができない。このことは、昇降路周辺のケーブルの敷設作業は建物工事の進捗状況や工事区分等に合わせ難い問題がある。
【０００５】
（４）  さらに、電源主幹ケーブル３に電源分岐ケーブル４を分岐接続した昇降路ケーブルをドラムに巻装し、エレベータの据付け現場に持ち込むことことから、前述したようにコネクタの導入サイズから電源分岐ケーブル４のサイズ（太さ）を大きくすることができない。そのため、電気的特性の影響等を考慮し、電源分岐ケーブル４と極端に異なるサイズのものを選択できない。すなわち、ユーザの要望や各階床のオプション機器に応じて、電源分岐ケーブル４と電源主幹ケーブル３とのケーブルサイズを自由に選択できない問題がある。
【０００６】
本発明は以上のような事情に鑑みてなされたもので、種々の要望に応じてケーブルサイズを自由に選択可能とし、また建物の進捗状況等に応じてケーブル敷設作業を効率的に行い得るエレベータ給電システムを提供することを目的とする。
【課題を解決するための手段】
【０００７】
（１）  上記課題を解決するために、本発明に係るエレベータ給電システムは、エレベータ乗りかごを昇降させる昇降路の機械室又は昇降路上部に設置され、客先から取り込む客先電源電力を所定の電源電力に変換し、複数の主幹ケーブルを通じて前記昇降路周辺機器である各階床のホール用機器に給電可能とする電源変換手段と、予め複数の階床のホール用機器ごとに決定される昇降路の高さ位置に設置され、それぞれ前記電源変換手段から前記各主幹ケーブルを通じて前記所定の電源電力を受け取る複数の昇降路受電装置と、当該各昇降路受電装置に導入される各主幹ケーブルに接続される主幹サブケーブル及び当該主幹サブケーブルにそれぞれ所定の間隔で分岐接続される前記各階床のホール用機器に給電する各分岐ケーブルとを設けた構成である。
【０００８】
この発明は以上のような構成とすることにより、電源変換手段から導出される各主幹ケーブルと主幹サブケーブルとを昇降路受電装置内で接続可能となるので、これら両ケーブルの種類に適宜選択して使用でき、ひいてはユーザ等の要望に応じて適宜な種類のケーブルを用いて敷設することが可能となる。
【０００９】
（２）  また、本発明は、予め複数の階床のホール用機器ごとに決定される昇降路の高さ位置に設置され、エレベータ乗りかごを昇降させる昇降路の機械室又は昇降路上部から複数の主幹ケーブルを通じて前記客先電源電力を受け取る複数の昇降路受電装置と、各昇降路受電装置内に設置され、前記客先電源電力を前記複数の階床のホール用機器ごとに応じた所定の電源電力に変換する電源変換手段と、当該各昇降路受電装置に導入される各主幹ケーブルに接続される主幹サブケーブル及び当該主幹サブケーブルにそれぞれ所定の間隔で分岐接続される前記各階床のホール用機器に給電する各分岐ケーブルとを設けた構成である。
【００１０】
この発明は以上のような構成とすることにより、エレベータ乗りかごを昇降させる昇降路の機械室又は昇降路上部から敷設される主幹ケーブルを、適宜な昇降路の高さ位置の各昇降路受電装置内の電源変換手段に取り込むことにより、電源変換手段で変換される各階床のホール用機器に供給する所定の電源電力の電圧降下を抑えることができ、また各電源変換手段にて複数の階床のホール用機器ごとに合わせて所定の電源電力に変換し出力でき、ホール用機器の安定動作を確保することが可能である。また、複数の階床のホール用機器に比較的近い昇降路の高さ位置に電源変換手段を設けることにより、電源異常や機器の故障率を減少させることができる。
【００１１】
（３）  なお、各昇降路受電装置又は各昇降路受電装置内に設置される電源変換手段としては、建物を含む昇降路の工事の進捗状況や工事区分に応じた前記昇降路の高さ位置に設置し、かつ前記主幹サブケーブル及び前記各分岐ケーブルを敷設すれば、建物を含む昇降路の工事の進捗状況等に合わせて昇降路の工事を進めることが出来、作業効率を向上させることが可能である。
【００１２】
また、各分岐ケーブルに客先電源電力を対応するホール用機器に応じた所定の電源電力に変換する電源変換手段を設ければ、さらにホール用機器に供給する所定の電源電力の電圧降下を抑えることができ、ホール用機器の安定動作を確保することが可能である。
【００１３】
さらに、複数の昇降路受電装置のうち、任意の昇降路受電装置に導入される前記主幹ケーブルに接続され、前記昇降路受電装置で受け取った前記客先電源電力を前記乗りかごのかご用機器に応じた所定の電源電力に変換する電源変換手段を設ければ、例えば乗りかご側にオプションその他の理由によって種々の電源電力が必要となっても、その要求に十分に対応することが可能である。
【発明の効果】
【００１４】
本発明によれば、種々の要望に応じてケーブルサイズを自由に選択することができ、また建物の進捗状況等に応じてケーブル敷設作業を効率的に実施できるエレベータ給電システムを提供できる。
【発明を実施するための最良の形態】
【００１５】
以下、本発明の実施の形態について図面を参照して説明する。  
図１は本発明に係るエレベータ給電システムの一実施の形態を示す構成図である。なお、同図において、図４と同一または等価な構成部分は同一符号を付して説明する。
【００１６】
このエレベータ給電システムは、昇降路上部のエレベータ機械室又は昇降路最上部に、外部から引込んだ客先電源を受電する受電装置１ａを収納する受電盤１と、当該受電装置1ａで受電された客先電源を必要な電源電力に変換する電源変換装置２ａ及びエレベータの電動機を駆動制御するための制御回路２ｂを有するエレベータ制御盤２とが設置される。電源変換装置２ａは建物の各階床に設置されるホール用機器に給電するために必要な電源電力に変換する機能をもっている。
【００１７】
前記電源変換装置２ａ出力側には複数の電源主幹ケーブル１１，…を通じて複数の昇降路受電装置１２，…が接続されている。各昇降路受電装置１２，…は、建物の高さ、建物の工事時期を含む工事区分、予めまとめる複数階床のホール用機器ごと等を考慮して決定される昇降路の異なる高さ位置に設置される。よって、各電源主幹ケーブル１１，…は、電源変換装置２ａと各昇降路受電装置１２，…との距離に応じた長さに形成され、電源変換装置２ａで変換された所定の電源電力を各昇降路受電装置１２，…に送電する機能をもっている。各昇降路受電装置１２，…は中継ボックスとしての役割をもっている。
【００１８】
さらに、各昇降路受電装置１２，…には、電源変換装置２ａから導入される各電源主幹ケーブル１１，…にそれぞれ個別に電源主幹サブケーブル１３，…が接続されている。各電源主幹ケーブル１１，…と各電源主幹サブケーブル１３，…とは各昇降路受電装置１２，…内で例えばコネクタ接続方式で接続し、電源主幹ケーブル１１と電源主幹サブケーブル１３とが異なる種類のケーブルを選択可能にする。しかも、各電源主幹ケーブル１１，…と各電源主幹サブケーブル１３，…とは各昇降路受電装置１２，…内で例えばコネクタ接続方式により接続可能とすれば、電源主幹ケーブル１１と電源主幹サブケーブル１３を完全に分離し、それぞれ独立的に敷設作業を進めることが可能となる。
【００１９】
さらに、各電源主幹サブケーブル１３，…にはそれぞれ所定の間隔をもって前記各階床のホール用機器に所要の電源電力を給電する分岐ケーブル１４，…が分岐接続されている。つまり、電源主幹サブケーブル１３は、分岐ケーブル１４のサイズの影響を受けるが、電源主幹ケーブル１１とは分離可能な関係にあるので、予め定めた複数階床のホール用機器で必要とする電源電力を給電できるサイズであればよく、ひいては分岐ケーブル１４に合わせ易いサイズのものを選定すれば、電源主幹サブケーブル１３と分岐ケーブル１４との接続加工もしやすくなり、敷設作業の効率を高めることができる。
【００２０】
そして、各分岐ケーブル１４には各階床の周辺に設置されるホール制御装置５が接続されている。ホール制御装置５には、かご進行方向表示、かご現在位置表示等のホールインジケータ６及びホール呼び及びホール呼びに対する呼び登録を報知するホールボタン７が接続されている。なお、前述したホール用機器としては、ホール制御装置５、ホールインジケータ６及びホールボタン７その他エレベータ設置基準等で定める各種機器の他、各種のオプション機器を含むものである。
【００２１】
なお、同図において、１６は乗りかご、１７はかご用機器、１８は昇降路受電装置１１からかご用機器１７に必要な電源を給電するかご電源主幹ケーブルである。かご電源主幹ケーブル１８は、乗りかご１６のテールコードの一部として構成されている。
【００２２】
以上のようなシステムにおいては、受電装置１ａで受電された客先電源を電源変換装置２ａで昇降路周辺の全階床のホール用機器で使用される電源電力に変換した後、各電源主幹ケーブル１１，１１及び昇降路受電装置１２，１２を通じて各電源主幹サブケーブル１３，１３に送電し、さらに個別の分岐ケーブル１４，…を通じて対応するホール制御装置５に給電される。
【００２３】
従って、以上のような実施の形態によれば、従来システムと比較したとき、次のような効果上の差異を有する。  
従来システムでは、図４に示すように電源変換装置２ａで変換されたホール用機器の電源電力を、電源主幹ケーブル３及び電源分岐ケーブル４を通じてホール制御装置５に給電するものである。このとき、電源主幹ケーブル３に各電源分岐ケーブル４を直接取り付けているので、電源主幹ケーブル３はホール制御装置５のコネクタサイズ、ひいては電源分岐ケーブル４のサイズに制限される。その結果、電源主幹ケーブル３と電源分岐ケーブル４とを極端に異なるサイズにすることが難しく、電源主幹ケーブル３のサイズは電源分岐ケーブル４のサイズに左右される。このことは、電源主幹ケーブル３及び電源分岐ケーブル４の使用サイズが決まり、特に電源主幹ケーブル３だけを大きなサイズにすることができない。よって、両ケーブル３，４の種類を適宜選択して使用できず、ユーザ等の要望に応じて適宜な種類のケーブルを用いて敷設することができない。
【００２４】
また、電源主幹ケーブル３のサイズを小さくすれば、また電源変換装置２ａで変換されたホール用機器の電源電力の電圧降下が大きくなり、オプション機器を含めてホール用機器に安定に必要な電源電力を給電し難い。
【００２５】
これに対し、本発明のシステムでは、昇降路の適宜な高さ位置に昇降路受電装置１２を設置し、電源主幹ケーブル１１を一旦途中の昇降路受電装置１２に接続し終端する。これにより、昇降路受電装置１２の前後で電源主幹ケーブル１１と電源主幹サブケーブル１３とのサイズを自由に選択でき、例えば電源主幹ケーブル１１に大きなサイズのものを使用することにより、電源変換装置２ａで変換された電源電力の電圧降下を抑えることができる。また、昇降路受電装置１２に電源主幹サブケーブル１３が接続されているので、当該電源主幹サブケーブル１３のサイズを小さくでき、電源主幹サブケーブル１３及び分岐ケーブル１４のサイズをある程度自由に選択でき、さらに電源主幹サブケーブル１３への分岐ケーブル１４の接続加工を比較的容易に行えるる。
【００２６】
さらに、本発明の他の実施形態について図１を参照して説明する。
【００２７】
前述する実施の形態では、電源主幹ケーブル１１及び分岐ケーブル１４の敷設本数は、全階床のホール用機器数及び電源変換装置２ａで変換された電源電力の電圧降下によって決定され、それに伴って昇降路受電装置１２は、電源主幹ケーブル１１の本数と等しい台数だけ設置される。
【００２８】
そこで、本発明においては、複数の昇降路受電装置１２、…を例えば建物を含む昇降路の工事の進捗状況や工事区分に応じた昇降路の高さ位置に設置し、各昇降路受電装置１２の上方側に電源主幹ケーブル１１を敷設し、下方側に電源主幹サブケーブル１３を接続する構成とすることにより、建物工事作業の進捗状況や工事時期を含む工事区分等に応じて、電源主幹ケーブル１１及び電源主幹サブケーブル１３のケーブルの本数を定めれば、昇降路受電装置１２の設置数もケーブル数と同数となる。その結果、例えば工事区分が多岐にわたる場合、つまり建物の建築順序が１階〜１０階、１１階〜２０階、２３階のエレベータ機械室を別々に工事作業を行う場合がある。
【００２９】
このような建物の建築順序で建物工事を進める場合、建物下位の１階〜１０階の工事時には上階位置となる１０階付近に昇降路受電装置１２を設置し、当該昇降路受電装置１２に対応させて受電装置１２下方側に接続される電源主幹サブケーブル１３及び電源分岐ケーブル１４，…を敷設し、１１階以上の工事区分等とは無関係に下階の配線敷設作業を完了させることができる。そして、エレベータ機械室の工事完了後、エレベータ機械室の電源変換装置２ａと１１階以上の上階に設置される別の昇降路受電装置１２を設置し、当該電源変換装置２ａと当該別の昇降路受電装置１２との間に電源主幹ケーブル１１の配線敷設作業を進めればよい。このことは、建物工事の進捗状況や工事区分等に合わせて、電源主幹サブケーブル１３，電源分岐ケーブル１４及び電源主幹ケーブル１１の配線敷設作業を効率よく進めることができる。
【００３０】
図２は本発明に係るエレベータ給電システムの他の実施形態を示す構成図である。なお、同図において、図１と同一又は等価な構成部分は同一符号を付して説明する。以降の実施の形態においても同様である。
【００３１】
このエレベータ給電システムは基本的には図１の構成と変わらない。特に、異なるところは、受電装置1ａで受電された客先電源をホール用機器の電源電力に変換する電源変換装置２ａを昇降路受電装置１２の台数に相当する例えば２つの数の電源変換装置例えば２ａａ、２ａｂに分割し、各昇降路受電装置１２，１２内にそれぞれ個別に電源変換装置２ａａ、２ａｂを設置した構成である。
【００３２】
従って、エレベータ制御盤２としては、ホール用機器やかご用機器で必要とする電源電力に変換する機能がなく、受電装置1ａで受電された客先電源をそのまま例えば２本の電源主幹ケーブル１１，１１を通じて昇降路の異なる高さ位置に設置される昇降路受電装置１２内の数の電源変換装置２ａａ，２ａｂに送電し、ここで予め定める複数の階床のホール用機器で使用される電源電力に見合う電源電力に変換し、電源主幹ケーブル１２，１２及び分岐ケーブル１４，…を通じてホール制御装置５，…に給電する構成である。
【００３３】
従って、この実施の形態によれば、比較的電源電圧の高い客先電源を昇降路内に引込むことにより、ホール用機器の電源電力の電圧降下を抑えることができる。また昇降路の異なる高さ位置に設置される各昇降路受電装置１２，１２に個別に電源変換装置２ａａ、２ａｂを設置し、客先電源を直接取り込んで電源変換装置２ａａ、２ａｂで予め定める複数の階床のホール用機器で使用される電源電力に変換するので、客先電源に係る電源系統の異常やホール用機器の故障率を減少できる。
【００３４】
なお、この実施の形態においても、建物工事作業の進捗状況や工事時期を含む工事区分等に応じて、昇降路下位に昇降路受電装置１２及び当該昇降路受電装置１２内に電源変換装置２ａｂを設置し、かつ必要なケーブル１３，１４の敷設作業を行い、建物の進捗状況等に応じて昇降路上部の機械室が出来上がったとき、昇降路上位に昇降路受電装置１２及び当該昇降路受電装置１２内に電源変換装置２ａａを設置し、かつ関連するケーブル１１，１１、１３，１４の敷設作業を行うことができる。
【００３５】
図３は本発明に係るエレベータ給電システムのさらに他の実施形態を示す構成図である。
【００３６】
図２に示すシステムでは、昇降路受電装置１２，…ごとに電源変換装置２ａａ、２ａｂを設置する構成としたが、本実施の形態では、各階床のホール制御装置５ごとに各ホール用機器で必要とする電源電力に変換する電源変換装置２ａａ１，２ａａ２，…、２ａｂ１，２ａｂ１，…を設けた構成である。すなわち、電源主幹ブケーブル１３に分岐接続される各分岐ケーブル１４，…の端部にそれぞれ電源変換装置２ａａ１，２ａａ２，…、２ａｂ１，２ａｂ１，…を介してホール制御装置５に接続し、各階床ごとに異なるホール用機器で必要とする電源電力に変換し、ホール制御装置５に給電するものである。
【００３７】
また、昇降路受電装置１２から乗りかご１６のかご用機器１７に接続されるかご電源主幹ケーブル１８にも電源変換装置２ａｃを接続し、同様にかご用機器１７で必要とする電源電力に変換し、かご用機器１７に給電する。
【００３８】
従って、このような実施の形態によれば、各分岐ケーブル１４，…に客先電源電力を対応するホール用機器に応じた所定の電源電力に変換する電源変換装置２ａａ１，２ａａ２，…、２ａｂ１，２ａｂ１，…を設置すれば、ホール用機器に供給する電源電力の電圧降下を抑えることができ、ホール用機器の安定動作を確保できる。
【００３９】
また、昇降路受電装置１２に接続されるかご電源主幹ケーブル１８に電源変換装置２ａｃを設ければ、乗りかご１６周辺に設置されるオプション機器を含めてかご用機器１７の消費電力に見合う電源電力を確実に確保でき、かご用機器１７の安定動作に大きく貢献する。
【００４０】
なお、前述する全実施の形態では、電源主幹サブケーブル１３に複数の分岐ケーブル１４，…を分岐接続する構成としたが、電源主幹ケーブル１１と電源主幹サブケーブル１３とを昇降路受電装置１２又は電源変換装置２ａａ，２ａｂで接続する構成としたことにより、電源主幹サブケーブル１３，…のサイズを小さくできるので、例えば各分岐ケーブル１４，…を設けることなく、昇降路受電装置１２又は電源変換装置２ａａ，２ａｂから直接各階床のホール制御装置５，…に電源主幹サブケーブル１３，…を接続するような構成であってもよい。
【００４１】
なお、本発明は、上記実施の形態に限定されるものでなく、その要旨を逸脱しない範囲で種々変形して実施できる。また、各実施の形態は組み合わせて実施することが可能であり、その場合には組み合わせによる効果が得られる。
【図面の簡単な説明】
【００４２】
【図１】本発明に係るエレベータ給電システムの一実施の形態を示す構成図。
【図２】本発明に係るエレベータ給電システムの他の実施形態を示す構成図。
【図３】本発明に係るエレベータ給電システムのさらに他の実施形態を示す構成図。
【図４】従来のエレベータ給電システムの構成図。
【符号の説明】
【００４３】
１…受電盤、１ａ…受電装置、２…エレベータ制御盤、２ａ，２ａａ，２ａｂ，２ａａ１，２ａａ２，…、２ａｂ１，２ａｂ１，…  …電源変換装置、５…ホール制御装置、６…ホールインジケータ、７…ホールボタン、１１…電源主幹ケーブル、１２…昇降路受電装置、１３…電源主幹サブケーブル、１４…分岐ケーブル、１６…乗りかご、１７…かご用機器、１８…かご電源主幹ケーブル。
【図１】
2006182462.tif 000003
【図２】
2006182462.tif 000004
【図３】
2006182462.tif 000005
【図４】
2006182462.tif 000006